(57)【要約】【課題】測量用ポールをその一部が隠れることなく保持可能で、しかも測量用ポールを取り付けたまま三脚を容易に移動させることができる測量用ポール保持装置を提供すること【解決手段】三脚１と、測量用ポールを垂直に保持するポール保持部２とを有する測量用ポール保持装置において、ポール保持部２を三脚１の脚頭１ａに直接設ける共に、ポール保持部に垂直方向に連続する開口部２ａを設け、この開口部２ａから測量用ポールを装着して保持する。【選択図】図１
0003126789.tif 000002
【実用新案登録請求の範囲】
【請求項１】
三脚と、測量用ポールを垂直に保持するポール保持部とを有する測量用ポール保持装置において、前記ポール保持部を三脚の脚頭に直接設ける共に、前記ポール保持部に垂直方向に連続する開口部を設け、この開口部から測量用ポールを装着して保持するようにした測量用ポール保持装置。
【請求項２】
前記ポール保持部が可撓性材料で形成されている請求項１に記載の測量用ポール保持装置。
【請求項３】
前記ポール保持部が、測量用ポールを挟持して保持する挟持部を有する請求項２に記載の測量用ポール保持装置。
【考案の詳細な説明】
【技術分野】
【０００１】
本考案は、測量用ポールを垂直に保持する測量用ポール保持装置に関する。
【背景技術】
【０００２】
従来、測量用ポールを垂直に保持する測量用ポール保持装置としては、三脚の脚頭に測量用ポールを垂直に保持するポール保持部を設けたものが知られている。
【０００３】
図３は、この従来の測量用ポール保持装置の要部を示す平面図、図４は、その使用状態を示す正面図である。
【０００４】
この従来の測量用ポール保持装置においては、三脚１の脚頭１ａに筒状のポール保持部２０を設け、このポール保持部２０に測量用ポール３を挿入し、ポール保持部２０の側面に設けたネジ２０ａによって測量用ポール３を固定し保持するようにしている。
【０００５】
しかし、このような従来の測量用ポール保持装置では、ポール保持部２０が筒状であるため、図４に示すように、測量用ポール３の一部がポール保持部２０によって隠れてしまい、測量用ポール３を写真撮影したときに見ばえが悪くなるという問題がある。また、ネジ２０ａによって測量用ポール３を固定するようにしているため、測量用ポール３に疵や凹みが発生するという問題もある。
【０００６】
これに対して、特許文献１には測量用ポールを挟持する方式のポール保持部が開示されている。この方式によれば、測量用ポールの一部が隠れたり、測量用ポールに疵や凹みが発生したりするといった問題は解消され得る。
【０００７】
しかし、特許文献１の測量用ポール保持装置では、ポール保持部が支持アームを介して三脚の脚頭に取り付けられるようになっているため、測量用ポールを取り付けたまま三脚を移動させることは困難であり、測量用ポールあるいは三脚を移動させる場合には、ポール保持部から測量用ポールを取り外し、測量用ポールと三脚を別々に持ち運ぶ必要がある。また、測量用ポールが三脚の脚頭から離れた位置で保持されるため、測量用ポールが不安定になりやすく、その位置決めも困難である。
【特許文献１】特開２０００−３０４５３９号公報
【考案の開示】
【考案が解決しようとする課題】
【０００８】
本考案が解決しようとする課題は、測量用ポールをその一部が隠れることなく保持可能で、しかも測量用ポールを取り付けたまま三脚を容易に移動させることができる測量用ポール保持装置を提供することにある。
【課題を解決するための手段】
【０００９】
本発明は、三脚と、測量用ポールを垂直に保持するポール保持部とを有する測量用ポール保持装置において、前記ポール保持部を三脚の脚頭に直接設ける共に、前記ポール保持部に垂直方向に連続する開口部を設け、この開口部から測量用ポールを装着して保持するようにしたことを特徴とするものである。
【００１０】
このように、ポール保持部に垂直方向に連続する開口部を設け、この開口部から測量用ポールを装着して保持するようにしたことで、測量用ポールの一部がポール保持部によって隠れてしまうことがなく、測量用ポールの上から下までの全体が見える状態で写真撮影等を行うことができる。また、ポール保持部を三脚の脚頭に直接設けているので、測量用ポールは三脚の脚頭近傍位置、すなわち三脚の中心軸近傍位置で保持される。したがって、測量用ポールを取り付けたまま三脚を容易に移動させることができる。また、測量用ポールの位置決めが容易となり、その安定性も向上する。
【００１１】
本考案において、ポール保持部は可撓性材料で形成することが好ましく、また、ポール保持部は測量用ポールを挟持して保持するような構成とすることが好ましい。このような構成とすることで、測量用ポールに疵や凹みが発生することを防止できる。
【考案の効果】
【００１２】
本考案によれば、測量用ポールをその一部が隠れることなく保持可能で、しかも測量用ポールを取り付けたまま三脚を容易に移動させることができる。
【００１３】
また、ポール保持部を可撓性材料で形成し、測量用ポールを挟持して保持するような構成とすれば、測量用ポールに疵や凹みが発生することを防止できる。
【考案を実施するための最良の形態】
【００１４】
以下、図面に示す実施例に基づき本考案の実施の形態を説明する。
【００１５】
図１は、本考案の測量用ポール保持装置の要部を示す平面図、図２は、その使用状態を示す正面図である。
【００１６】
図面に示す測量用ポール保持装置においては、三脚１の脚頭１ａにポール保持部２を接着、ネジ止め等の手段により直接設け、このポール保持部２によって測量用ポール３を挟持し保持するようにしている。
【００１７】
ポール保持部２は、例えば、合成樹脂等の可撓性材料で形成されており、その外周には垂直方向に連続する開口部２ａが設けられ、内部には測量用ポール３を挟持して保持する挟持部２ｂが設けられている。開口部２ａはその開口幅ｄが測量用ポール３の直径より若干小さくなるように形成されている、また、挟持部２ｂは、測量用ポール３をちょうど挟持できる程度の大きさに形成されている。
【００１８】
この構成において、測量用ポール３を垂直に保持するには、測量用ポール３をポール保持部２の開口部２ａから挟持部２ｂ内に挿入する。このとき、開口部２ａは測量用ポール３の通過時には測量用ポール３が通過できる程度まで拡がり、測量用ポール３が通過し終わったら元の状態に復元する。そして、測量用ポール３は挟持部２ｂによって挟持され保持される。
【００１９】
本考案の測量用ポール保持装置では、上述のように、ポール保持部２に垂直方向に連続する開口部２ａを設け、この開口部２ａから測量用ポール３を装着して保持するようにしているので、測量用ポール３の一部がポール保持部２によって隠れてしまうことがなく、図２に示すように測量用ポール３の上から下までの全体が見える状態で写真撮影等を行うことができる。
【００２０】
また、ポール保持部２を三脚１の脚頭１ａに直接設けているので、測量用ポール３は三脚１の脚頭１ａ近傍位置、すなわち三脚１の中心軸近傍位置で保持される。したがって、測量用ポール３を取り付けたまま三脚１を容易に移動させることができる。また、測量用ポール３の位置決めが容易となり、その安定性も向上する。
【００２１】
さらに、実施例のように、ポール保持部２を可撓性材料で形成し、測量用ポール３を挟持して保持するような構成とすれば、測量用ポール３に疵や凹みが発生することを防止できる。
【００２２】
なお、実施例では、ポール保持部２を三脚１の脚頭１ａと別体にしたが、ポール保持部２を三脚１の脚頭１ａと一体に形成することもできる。
【図面の簡単な説明】
【００２３】
【図１】本考案の測量用ポール保持装置の要部を示す平面図である。
【図２】図１の測量用ポール保持装置の使用状態を示す正面図である。
【図３】従来の測量用ポール保持装置の要部を示す平面図である。
【図４】図３の測量用ポール保持装置の使用状態を示す正面図である。
【符号の説明】
【００２４】
１  三脚
１ａ  三脚の脚頭
２  ポール保持部
２ａ  開口部
２ｂ  挟持部
３  測量用ポール
２０  ポール保持部
２０ａ  ネジ
【図１】
0003126789.tif 000003
【図２】
0003126789.tif 000004
【図３】
0003126789.tif 000005
【図４】
0003126789.tif 000006